(57)【要約】      （修正有）【課題】重り部材を連結するための構造を有するダンベルを提供する。【解決手段】ダンベルは、レセプタクル１０と、重り２０と重り本体とを備える。重り２０はオリフィス２５を備える。ハンドル機構３は２つの端部を有するハンドルバー３０と、第１のハウジング３２および第２のハウジング３３とを備える。第１のバレル４０および第２のバレル４１が第１のハウジング３２および第２のハウジング３３の間に係合され、互いに分離され、各孔３６が形成される。第１のラッチ５０は第１のバレル４０の孔３６に係合され、重り２０のオリフィス２５と係合するために第１のハウジング３２の空洞４４から延在可能である。第２のラッチは重り本体のボアと係合するために、孔３６に係合し、孔３６から延在可能であることで調整可能である。【選択図】図１
0003230965.tif 000002
【実用新案登録請求の範囲】
【請求項１】
レセプタクルと、前記レセプタクルに係合可能な第１の重りと第２の重り本体とを備え、
前記第１の重りはオリフィスを備え、
前記第２の重り本体は２つの端部を有するハンドルバーと、前記ハンドルバーの端部に配置された第１のハウジングおよび第２のハウジングとを含むハンドル機構を備え、
第１のバレルおよび第２のバレルが前記第１のハウジングおよび前記第２のハウジングの間に係合され、互いに分離され、
前記第１のバレルおよび前記第２のバレルの各孔が形成され、
前記第１のハウジングは前記第１のバレルの溝と整列した空洞を備え、
前記第２のハウジングは前記第２のバレルの溝と整列した空洞を備え、
第１のラッチは前記第１のバレルの前記孔に係合され、前記第１の重りの前記オリフィスと係合するために前記第１のハウジングの前記空洞から延在可能であり、
第２のラッチは前記第２の重り本体のボアと係合するために、前記第２のバレルの前記孔に係合し、前記第２のハウジングの前記孔から延在可能であることで調整可能であることを特徴とするダンベル。
【請求項２】
前記ハンドル機構は、前記第１のラッチおよび前記第２のラッチに取り付けられた第１のバネおよび第２のバネに付勢されたノブを備えることを特徴とする請求項１に記載のダンベル。
【請求項３】
前記第１のハウジングおよび前記第２のハウジングはそれぞれ、外側に形成されたアンカー部材を備え、
前記第１の重りおよび前記第２の重り本体は、それぞれ、内側に形成されたアンカー要素を備えることを特徴とする請求項１に記載のダンベル。
【請求項４】
前記第１の重りおよび前記第２の重り本体はそれぞれ、外側に形成されたアンカー部材を備え、
第３の重りは内側に形成されたアンカー要素を備え、
前記第３の重りは前記第１のラッチと係合するために、前記第１の重りの前記オリフィスと位置合わせされた開口を備え、
第４の重りは内側に形成されたアンカー要素を備え、
前記第４の重りは、前記第２の重り本体の前記孔と位置合わせされた開口を備えることを特徴とする請求項１に記載のダンベル。
【考案の詳細な説明】
【技術分野】
【０００１】
本考案は、重り部材を連結するための中実構造を有するダンベルに関するものである。
【背景技術】
【０００２】
従来のダンベルは、多数の重りリングまたは重り部材と、単一の中央ハンドルバーとを備える。
【考案の概要】
【考案が解決しようとする課題】
【０００３】
ダンベルの重り部材が比較的大きな重りを備える場合、重り部材は、中央ハンドルバーの端部に安定して係合されないことがある。
本考案は、上述に鑑みてなされたものであり、その目的は、重り部材を連結するための構造を有するダンベルを提供することにある。
【課題を解決するための手段】
【０００４】
本考案のダンベルは、レセプタクルと、前記レセプタクルに係合可能な第１の重りと第２の重り本体とを備える。前記第１の重りはオリフィスを備える。ハンドル機構は２つの端部を有するハンドルバーと、前記ハンドルバーの端部に配置された第１のハウジング及び第２のハウジングとを備える。
第１のバレル及び第２のバレルが前記第１のハウジング及び前記第２のハウジングの間に係合され、互いに分離され、前記第１のバレル及び前記第２のバレルの各孔が形成される。前記第１のハウジングは前記第１のバレルの溝と整列した空洞を備える。前記第２のハウジングは前記第２のバレルの溝と整列した空洞を備える。
第１のラッチは前記第１のバレルの前記孔に係合され、前記第１の重りの前記オリフィスと係合するために前記第１のハウジングの前記空洞から延在可能である。第２のラッチは前記第２の重り本体のボアと係合するために、前記第２のバレルの前記孔に係合し、前記第２のハウジングの前記孔から延在可能であることで調整可能である。
【図面の簡単な説明】
【０００５】
【図１】本考案の一実施形態のダンベルの部分分解図である。
【図２】本考案の一実施形態のダンベルの斜視図である。
【図３】図２に示すIII−III線に沿う断面図である。
【図４】図２に示すIV−IV線に沿う断面図である。
【図５】本考案の一実施形態のダンベルの断面図である。
【考案を実施するための形態】
【０００６】
以下、本考案による実施形態を図面に基づいて説明する。
【０００７】
（一実施形態）
図１から図４に示すように、本考案の調節可能な運動装置は、２つの重り群２０、２１と係合するための１つ以上の区画１１と、重り２０、２１とレセプタクル１０の区画１１（図１参照）との間に延在する１つ以上の仕切り１２、１３とを備える支持ベースまたはレセプタクル１０を備える。
【０００８】
隔壁１２、１３は、それぞれ、中央部分に形成された切欠１４を備える。
【０００９】
重り２０、２１はそれぞれ、仕切り１２、１３に面するアンカー要素またはダブテール２３と、他の重り２０、２１のダブテール２３と係合し、重り２０、２１を一緒に位置決めするために、外側に形成され、仕切り１２、１３から離れる方向に向けられたアンカー部材またはダブテールスロット２４とを備える。
重り２０、２１は互いに対して上下に動くことができるが、互いに対して横方向に動くことはできない。
【００１０】
重り２０の１つまたは第１のグループは各々、互いに整列したオリフィス２５を備える。
重り２１の他方または第２のグループは各々、互いに整列した開口２６を備える。
ハンドル機構３は重り２０、２１の間に係合されるべきであり、１つまたは複数の端部３１を有する中央ハンドルバー３０と、端部３１から外側に配置された１つまたは複数のハウジング３２、３３とを備える。
【００１１】
ハウジング３２、３３は、それぞれ、外側に形成され、重り２０、２１のダブテール２３と係合するために重り２０、２１に面するアンカー部材またはダブテールスロット３４を備える。
【００１２】
図３から図５に示すように、１つ以上のバレル４０、４１が、ハウジング３２、３３の間に係合され、互いに間隔を置いて配置され、それぞれがボア４２を備える。
【００１３】
図４及び図５に示すように、一方または第１のハウジング３２は開口３５を含み、第１のバレル４０のボア４２と整列し、他方または第２のハウジング３３は第２のバレル４１のボア４２と整列した孔３６を含み、第１及び第２のラッチ５０、５１はバレル４０、４１のボア４２に摺動可能に係合し、重り２０のオリフィス２５及び重り２１の開口２６と係合するために、開口３５及びハウジング３２、３３の孔３６から伸長可能である。
【００１４】
図４及び図５に示すように、第１のラッチ５０は第１のハウジング３２の開口部３５から延在可能であり、重り２０のオリフィス２５と係合可能であり、重り２０の必要数を第１のハウジング３２及びハンドルバー３０に固着する。
同様に、第２のラッチ５１は第２のハウジング３３の孔３６から延在可能であり、重り２１の開口２６と係合可能であり、重り２１の必要数を第２のハウジング３３及びハンドルバー３０に保持する。
【００１５】
ラッチ５０、５１を動かして重り２０、２１と係合させるために、第１及び第２のバネ付勢されたノブ５２、５３がラッチ５０、５１に取り付けられている。
バレル４０、４１はそれぞれ、ノブ５２、５３と係合し、ノブ５２、５３及びラッチ５０、５１を案内してバレル４０、４１及び重り２０、２１に対して移動させるために、バレル４０、４１のボア４２と連通する溝４３を備える。
【００１６】
バレル４０、４１はそれぞれ、ノブ５２、５３に係合するため、ノブ５２、５３をバレル４０、４１に固着するため、及び必要数の重り２０、２１をハウジング３２、３３及びハンドルバー３０に位置決めするために、バレル４０、４１のボア４２と連通する１つ以上の空洞４４を備える。
【００１７】
図３から図５に示すように、動作中、ラッチ５０、５１はノブ５２、５３でバレル４０、４１に対して移動され、重り２０、２１の必要数と係合し、重り２０、２１の必要数をハウジング３２、３３及びハンドルバー３０に固定することができる。
【００１８】
ハウジング３２、３３はハンドルバー３０及びバレル４０、４１と連結することができ、重り２０、２１はラッチ５０、５１と共にハウジング３２、３３と連結することができる。
ハンドルバー３０は、仕切り１２、１３の切欠１４に係合することができる。
【００１９】
以上、本考案は、上記実施形態になんら限定されるものではなく、考案の趣旨を逸脱しない範囲において種々の実施形態で実施可能である。
【符号の説明】
【００２０】
３ハンドル機構、
１０レセプタクル、
１１区画、
１２仕切り、
１３仕切り、
１４切欠、
２０重り、
２１重り、
２３ダブテール、
２４ダブテールスロット、
２５オリフィス、
２６開口、
３０ハンドルバー、
３１端部、
３２第１のハウジング、
３３第２のハウジング、
３４ダブテールスロット、
３５開口、
３６孔、
４０第１のバレル、
４１第２のバレル、
４２ボア、
４３溝、
４４空洞、
５０第１のラッチ、
５１第２のラッチ、
５２ノブ、
５３ノブ。
【図１】
0003230965.tif 000003
【図２】
0003230965.tif 000004
【図３】
0003230965.tif 000005
【図４】
0003230965.tif 000006
【図５】
0003230965.tif 000007